(57)【要約】【課題】  螺子本来の汎用性や利便性を損なうことなく、着脱の操作履歴の痕跡を確実に把握可能にすること。【解決手段】  螺子１０は、外周部に螺子山１１ａが刻設された軸部１１と、この軸部１１の一端に一体に設けられた螺子頭部１２と、螺子頭部１２の中央部に設けられた封印凹部１２ａと、この封印凹部１２ａの底部に設けられ、軸部１１を工具等で回転駆動するための六角穴１３と、必要に応じて封印凹部１２ａ内に配置されたＩＤタグ１４と、六角穴１３およびＩＤタグ１４を隠蔽するように封印凹部１２ａに非可逆に固着され、破れやすい包皮およびインク等の内封液からなる封印部材１５を備え、物品１００に対する螺着後に装着された封印部材１５の破壊の痕跡を残すことなしに任意の物品１００からの取り外しを不可能にした。【選択図】  図２
2005003192.tif 000002
【特許請求の範囲】
【請求項１】
対象物に螺合する螺子山が形成された軸部と、前記軸部の一端に設けられた螺子頭部と、前記螺子頭部に設けられ、外部から前記軸部を回転駆動するための操作部と、前記操作部を隠蔽するように前記螺子頭部に非可逆に固着された封印部材とを具備したことを特徴とする螺子。
【請求項２】
対象物に螺合する螺子山が形成された軸部と、前記軸部の一端に設けられた螺子頭部と、前記螺子頭部に設けられ、外部から前記軸部を回転駆動するための操作部と、前記操作部に配置されたＩＤタグと、前記操作部および前記ＩＤタグを隠蔽するように前記螺子頭部に非可逆に固着された封印部材とを具備したことを特徴とする螺子。
【請求項３】
対象物に螺合する螺子山が形成された軸部と、前記軸部の一端に設けられた螺子頭部と、前記螺子頭部に設けられ、外部から前記軸部を回転駆動するための操作部と、前記操作部を隠蔽するように前記螺子頭部に非可逆に固着され、その内部にＩＤタグを備えた封印部材とを具備したことを特徴とする螺子。
【請求項４】
対象物に螺合する螺子山が形成された軸部と、前記軸部の一端に設けられた螺子頭部と、前記螺子頭部に設けられ、外部から前記軸部を回転駆動するための操作凹部と、前記操作凹部を隠蔽するように前記螺子頭部に非可逆に固着された封印部材とを具備したことを特徴とする螺子。
【請求項５】
対象物に螺合する螺子山が形成された軸部と、前記軸部の一端に設けられた螺子頭部と、前記螺子頭部に設けられ、外部から前記軸部を回転駆動するための操作凹部と、前記操作凹部に配置されたＩＤタグと、前記操作凹部および前記ＩＤタグを隠蔽するように前記螺子頭部に非可逆に固着された封印部材とを具備したことを特徴とする螺子。
【請求項６】
対象物に螺合する螺子山が形成された軸部と、前記軸部の一端に設けられた螺子頭部と、前記螺子頭部に設けられ、外部から前記軸部を回転駆動するための操作凹部と、前記操作凹部を隠蔽するように前記螺子頭部に非可逆に固着され、その内部にＩＤタグを備えた封印部材とを具備したことを特徴とする螺子。
【請求項７】
対象物に螺合する螺子山が形成された軸部と、前記軸部の一端に設けられた螺子頭部と、前記螺子頭部に設けられ、外部から前記軸部を回転駆動するための操作部と、前記軸部が挿通され前記螺子頭部が収容される収容凹部を備えた螺子座部材と、前記収容凹部内の前記螺子頭部を隠蔽するように当該収容凹部に非可逆に固着された封印部材とを具備したことを特徴とする螺子。
【請求項８】
対象物に螺合する螺子山が形成された軸部と、前記軸部の一端に設けられた螺子頭部と、前記螺子頭部に設けられ、外部から前記軸部を回転駆動するための操作部と、前記軸部が挿通され前記螺子頭部が収容される収容凹部を備えた螺子座部材と、前記収容凹部に配置されたＩＤタグと、前記収容凹部内の前記螺子頭部および前記ＩＤタグを隠蔽するように前記収容凹部に非可逆に固着された封印部材とを具備したことを特徴とする螺子。
【請求項９】
対象物に螺合する螺子山が形成された軸部と、前記軸部の一端に設けられた螺子頭部と、前記螺子頭部に設けられ、外部から前記軸部を回転駆動するための操作部と、前記軸部が挿通され前記螺子頭部が収容される収容凹部を備えた螺子座部材と、前記収容凹部内の前記螺子頭部を隠蔽するように前記収容凹部に非可逆に固着され、その内部にＩＤタグを備えた封印部材とを具備したことを特徴とする螺子。
【請求項１０】
前記封印部材は、ゲルまたは樹脂またはワックスであることを特徴とする請求項１から請求項９のいずれか１項に記載の螺子。
【請求項１１】
前記封印部材は、液状物と、前記液状物を被包する包皮とからなることを特徴とする請求項１から請求項９のいずれか１項に記載の螺子。
【請求項１２】
前記封印部材には目視可能な刻印またはマーキングが施されていることを特徴とする請求項１から請求項１１のいずれか１項に記載の螺子。
【請求項１３】
前記操作部は、多角形のボルトヘッドであることを特徴とする請求項１から請求項３のいずれか１項に記載の螺子。
【請求項１４】
前記操作凹部は、螺子回し工具に嵌合する多角形穴または溝であることを特徴とする請求項４から請求項６のいずれか１項に記載の螺子。
【請求項１５】
前記封印部材は、前記螺子頭部に装着されるキャップと、前記キャップ内に封入された液状物と、を具備したことを特徴とする請求項１から請求項９のいずれか１項に記載の螺子。
【請求項１６】
前記螺子頭部の頂部には前記操作凹部として螺子回し工具が嵌合する多角形穴が形成され、前記螺子頭部の側面部には前記操作部として螺子回し工具に挟持される一対の平坦面が形成され、
前記キャップは、前記液状物が封入される封入空間を備え前記多角形穴を隠蔽する本体部と、前記本体部から突設され、前記平坦面を覆うように前記螺子頭部を挟持する脚部と、を備えたことを特徴とする請求項１５に記載の螺子。
【請求項１７】
前記螺子頭部は、前記キャップが収容されるキャップ穴と、前記キャップ穴の底部に前記操作凹部として形成され、螺子回し工具が嵌合する多角形穴と、前記キャップ穴の側面部に形成され、前記キャップに嵌合する保持溝と、を備え、
前記キャップは、前記液状物が封入される封入空間を備え前記多角形穴を隠蔽する本体部と、前記本体部の側面部に突設され、前記保持溝に嵌合する嵌合爪と、を備えたことを特徴とする請求項１５に記載の螺子。
【請求項１８】
前記螺子頭部の頂部には前記操作部として螺子回し工具が嵌合する多角形穴と、前記キャップが嵌合する嵌合穴とを備え、
前記キャップは、前記液状物が封入される封入空間を備え前記多角形穴を隠蔽する本体部と、前記本体部から突設され、前記嵌合穴に嵌合する嵌合脚と、を備えたことを特徴とする請求項１５に記載の螺子。
【請求項１９】
前記液状物は、ルミノール反応にて識別可能な物質を含むことを特徴とする請求項１５から請求項１８のいずれか１項に記載の螺子。
【発明の詳細な説明】
【技術分野】
【０００１】
本発明は螺子に関し、特に、対象物に対する着脱履歴の管理が必要とされるセキュリティ用途、着脱される対象物の識別管理等に適用して有効な技術に関する。
【背景技術】
【０００２】
機械部品や電子部品の組み立て、ケーブルの固定等、螺子の用途は極めて多岐にわたっている。ところで、本来、螺子の利点は、物品相互の締結や分解を可逆的に簡易に行い得る利便性にあるが、用途によっては、この本来の利点が好ましくない場合もある。
【０００３】
たとえば、勝手に開封されては困る物品の封止構造に通常の螺子を用いた場合、開封等の操作履歴の痕跡が残らないため、未開封であることの保証が得られない。このため、たとえば特許文献１や特許文献２のように、特定の工具でなければ取り外すことのできないネジ、あるいは特許文献３のように一定方向にのみネジ込むことが可能なネジを用いることが知られている。
【０００４】
また、最近の環境保護意識の高まりに呼応して、電子部品や回路基板のリサイクルの促進が望まれているが、ネジで締結された物品は、分解作業の迅速化という観点からは改善の余地があり、たとえば特許文献４のような技術が知られている。
【特許文献１】実開昭５６−２０１２２号公報
【特許文献２】実開昭５９−６６０１２号公報
【特許文献３】実開昭５８−１８４０１０号公報
【特許文献４】特開２００１−２９１９７７号公報
【発明の開示】
【発明が解決しようとする課題】
【０００５】
上述の特許文献１〜特許文献３は、ネジを用いた封印構造の無断開封の防止にはそれなりの効果が得られるが、ネジ自体では開封の痕跡を知ることができない、という技術的課題がある。
また、特許文献１や特許文献２の技術では、締結に特殊な工具が必要となり、ネジの汎用性が損なわれる、というべつの技術的課題を生じる。
【０００６】
さらに、特許文献３の技術では、特定方向のネジ込み操作のみしかできず取り外し作業が困難であるとともに、特許文献１および特許文献２のネジは取り外し作業に特殊な工具が必要なため、特許文献１〜特許文献３の技術は、いずれもリサイクル等における分解作業が不便になる、という問題がある。
【０００７】
一方、最近では、物品の個別管理に、各々にユニークなＩＤを付与されたＩＤタグが用いられるようになっているが、ネジ等を用いてＩＤタグを物品に装着した場合には、上述のようなネジの利便性から、特定のＩＤタグと特定の物品との対応関係を保証できず、個々の物品の識別を的確に行い得ない、という問題もある。
【０００８】
本発明はかかる事情に鑑みてなされたものであって、螺子本来の汎用性や利便性を損なうことなく、操作履歴の痕跡を確実に把握し得る螺子を提供することを目的とする。
また、本発明は、ＩＤタグと物品との対応関係を保証し、ＩＤタグを用いた物品の識別管理を確実に行うことが可能な螺子を提供することを目的とする。
【課題を解決するための手段】
【０００９】
上記目的を達成するため、本発明の第１の観点は、対象物に螺合する螺子山が形成された軸部と、前記軸部の一端に設けられた螺子頭部と、前記螺子頭部に設けられ、外部から前記軸部を回転駆動するための操作部と、前記操作部を隠蔽するように前記螺子頭部に非可逆に固着された封印部材とを具備した螺子を提供する。
【００１０】
本発明の第２の観点は、対象物に螺合する螺子山が形成された軸部と、前記軸部の一端に設けられた螺子頭部と、前記螺子頭部に設けられ、外部から前記軸部を回転駆動するための操作部と、前記操作部に配置されたＩＤタグと、前記操作部および前記ＩＤタグを隠蔽するように前記螺子頭部に非可逆に固着された封印部材とを具備した螺子を提供する。
【００１１】
本発明の第３の観点は、対象物に螺合する螺子山が形成された軸部と、前記軸部の一端に設けられた螺子頭部と、前記螺子頭部に設けられ、外部から前記軸部を回転駆動するための操作部と、前記操作部を隠蔽するように前記螺子頭部に非可逆に固着され、その内部にＩＤタグを備えた封印部材とを具備した螺子を提供する。
【００１２】
本発明の第４の観点は、対象物に螺合する螺子山が形成された軸部と、前記軸部の一端に設けられた螺子頭部と、前記螺子頭部に設けられ、外部から前記軸部を回転駆動するための操作凹部と、前記操作凹部を隠蔽するように前記螺子頭部に非可逆に固着された封印部材とを具備した螺子を提供する。
【００１３】
本発明の第５の観点は、対象物に螺合する螺子山が形成された軸部と、前記軸部の一端に設けられた螺子頭部と、前記螺子頭部に設けられ、外部から前記軸部を回転駆動するための操作凹部と、前記操作凹部に配置されたＩＤタグと、前記操作凹部および前記ＩＤタグを隠蔽するように前記螺子頭部に非可逆に固着された封印部材とを具備した螺子を提供する。
【００１４】
本発明の第６の観点は、対象物に螺合する螺子山が形成された軸部と、前記軸部の一端に設けられた螺子頭部と、前記螺子頭部に設けられ、外部から前記軸部を回転駆動するための操作凹部と、前記操作凹部を隠蔽するように前記螺子頭部に非可逆に固着され、その内部にＩＤタグを備えた封印部材とを具備した螺子を提供する。
【００１５】
本発明の第７の観点は、対象物に螺合する螺子山が形成された軸部と、前記軸部の一端に設けられた螺子頭部と、前記螺子頭部に設けられ、外部から前記軸部を回転駆動するための操作部と、前記軸部が挿通され前記螺子頭部が収容される収容凹部を備えた螺子座部材と、前記収容凹部内の前記螺子頭部を隠蔽するように当該収容凹部に非可逆に固着された封印部材とを具備した螺子を提供する。
【００１６】
本発明の第８の観点は、対象物に螺合する螺子山が形成された軸部と、前記軸部の一端に設けられた螺子頭部と、前記螺子頭部に設けられ、外部から前記軸部を回転駆動するための操作部と、前記軸部が挿通され前記螺子頭部が収容される収容凹部を備えた螺子座部材と、前記収容凹部に配置されたＩＤタグと、前記収容凹部内の前記螺子頭部および前記ＩＤタグを隠蔽するように前記収容凹部に非可逆に固着された封印部材とを具備した螺子を提供する。
【００１７】
本発明の第９の観点は、対象物に螺合する螺子山が形成された軸部と、前記軸部の一端に設けられた螺子頭部と、前記螺子頭部に設けられ、外部から前記軸部を回転駆動するための操作部と、前記軸部が挿通され前記螺子頭部が収容される収容凹部を備えた螺子座部材と、前記収容凹部内の前記螺子頭部を隠蔽するように前記収容凹部に非可逆に固着され、その内部にＩＤタグを備えた封印部材とを具備した螺子を提供する。
【００１８】
上記した本発明の第１および第４の観点によれば、封印部材を固着しない状態にて、螺子頭部に設けられた操作部あるいは操作凹部に任意の工具を係合させて軸部に回転力を与えることで、従来と同様に簡便に締結作業を行い得るとともに、締結後に非可逆に固着された封印部材により、取り外し操作が行われれば確実にその痕跡が残るので、取り外し操作等の操作履歴を確実に把握できる。
【００１９】
また、本発明の第２，第３，第５，第６の観点によれば、非可逆な封印部材によりＩＤタグが螺子に装着され、螺子の任意の物品に対する締結履歴も当該封印部材にて確実に把握されるので、取り外し操作等の操作履歴の確実な把握に加えて、さらにＩＤタグと物品との対応関係が保証され、ＩＤタグによる物品の識別管理を確実に行うことが可能になる。
【００２０】
また、本発明の第７の観点によれば、既存の市販品の任意の螺子の軸部や螺子頭部の寸法に応じて、螺子座部材の寸法を設定することにより、螺子座部材の収容凹部に非可逆に固着される封印部材により、既存の市販品の任意の螺子を用いて、取り外し操作等の操作履歴を確実に把握できる締結構造を実現し得る。
【００２１】
また、本発明の第８および第９の観点によれば、非可逆な封印部材によりＩＤタグを、既存の市販品の任意の螺子に装着することで、螺子の任意の物品に対する締結履歴も当該封印部材にて確実に把握されるので、取り外し操作等の操作履歴の確実な把握に加えて、さらにＩＤタグと物品との対応関係が保証され、ＩＤタグによる物品の識別管理を確実に行うことが可能になる。
【発明の効果】
【００２２】
本発明によれば、螺子本来の汎用性や利便性を損なうことなく、操作履歴の痕跡を確実に把握し得るという効果が得られる。
また、本発明によれば、ＩＤタグと物品との対応関係を保証し、ＩＤタグを用いた物品の識別管理を確実に行うことができるという効果が得られる。
【発明を実施するための最良の形態】
【００２３】
以下、添付図面を参照して、本発明の実施の形態について説明する。
図１は、本発明の一実施の形態である螺子の外観の一例を示す斜視図であり、図２は、その断面図である。
本実施の形態の螺子１０は、外周部に螺子山１１ａが刻設された軸部１１と、この軸部１１の一端に一体に設けられた螺子頭部１２を備えている。
【００２４】
螺子頭部１２は、外周面が平滑な略半球形を呈し、その中央部には、軸部１１とほぼ同軸に円筒形の封印凹部１２ａが設けられている。さらに、この封印凹部１２ａの底部には、図３に例示されるように、軸部１１とほぼ同軸に六角穴１３が設けられている。この六角穴１３は、封印凹部１２ａを通じて、図示しない六角レンチ等の締結工具を嵌合させて軸部１１に回転力を与えることで、螺子山１１ａが形成された軸部１１を物品１００に螺着したり、取り外したりする操作に用いられる。
【００２５】
螺子頭部１２の封印凹部１２ａの底部には、接着材等により、必要に応じてＩＤタグ１４が装着されている。このＩＤタグ１４は、たとえば、外部の電波に感応して、当該ＩＤタグ１４に固有の識別情報を電波として外部に応答する機能を有している。このＩＤタグ１４は、電源は持たずに受信した外部の電波のエネルギで動作する構成でもよいし、電池等の電源を内蔵した構成でもよい。なお、このＩＤタグ１４は省略してもよい。
【００２６】
さらに、封印凹部１２ａには、当該封印凹部１２ａの開口部全体を隠蔽するように、封印部材１５が接着材等を用いて非可逆に固着されている。なお、図３は、ＩＤタグ１４や、封印部材１５を取り去った状態の封印凹部１２ａの内部を示している。
【００２７】
この封印部材１５は、一例として、図４に例示されるように、変形可能な薄い樹脂等で構成される包皮１５ａと、この包皮１５ａの内部に封入されたインク等の内封液１５ｂから構成される。内封液１５ｂには、必要に応じて、ルミノール反応で検出可能な物質を混在させることができる。
【００２８】
そして、この封印部材１５の強度は、一旦、螺子頭部１２の封印凹部１２ａに固着されると、包皮１５ａを破らない限り、当該封印凹部１２ａから取り外すことができない値に設定されている。
以下、本実施の形態の螺子１０の作用の一例について説明する。
【００２９】
まず、封印部材１５やＩＤタグ１４を装着しない状態で、図示しない六角レンチ等の工具を螺子頭部１２の封印凹部１２ａの底部の六角穴１３に嵌合させて回動させることで、軸部１１を任意の物品１００の螺子穴１００ａに螺合させて取り付ける。
【００３０】
次に、封印凹部１２ａの底部に、六角穴１３の開口部を覆う様に必要に応じてＩＤタグ１４を接着し、さらに、ＩＤタグ１４および封印凹部１２ａの全体を隠蔽するように、封印凹部１２ａの内部に封印部材１５を非可逆に固着する。図１および図２の例では、略球形の封印部材１５を封印凹部１２ａの形状になじむように変形させて、封印凹部１２ａの底部および外端内周部の全周に非可逆に固着させた状態を示している。
【００３１】
なお、封印凹部１２ａの外部に露出した封印部材１５の表面には、必要に応じて、任意の刻印や印刷等を目視可能に施すことができる。
【００３２】
このように封印部材１５を封印凹部１２ａに非可逆に固着させて封印することにより、物品１００に螺着された螺子１０を取り外すには、封印部材１５を破壊して六角レンチ等の工具を六角穴１３に嵌合させる以外に方法がないが、このとき、封印部材１５の包皮１５ａが破れて内封液１５ｂが非可逆的に飛散したり、封印部材１５の表面の認証マークがある場合には当該認証マークも破壊されるので、螺子１０の取り外し等の操作履歴が目視にて容易に判別できる。また、螺子頭部１２の外周は半球形で平滑なので、封印部材１５を破壊せずに、強いて工具等を用いて螺子頭部１２を回転させようとすると、必ず工具痕が残るため取り外したことが判別される。
【００３３】
このため、本実施の形態の螺子１０では、一旦、目的の物品１００に締結した螺子１０を取り外そうとすると必ずその痕跡が目視可能に残ることとなり、取り外し操作等の操作履歴を確実に把握することができる。
【００３４】
すなわち、本実施の形態の螺子１０によれば、上述のように通常の六角レンチ等の工具を用いて簡便に任意の物品１００に螺着できるとともに、一旦螺着した後は、封印部材１５の装着によって、取り外し操作等の操作履歴を確実に把握することが可能となる。換言すれば、螺子本来の汎用性や利便性を損なうことなく、取り外し等の操作履歴の痕跡を確実に把握することが可能である。
【００３５】
また、本実施の形態の螺子１０では、ＩＤタグ１４は、封印部材１５を破壊しない限り取り外せないので、ＩＤタグ１４と螺子１０との１対１の対応関係が確実に維持される。また、螺子１０と任意の物品１００との最初の締結（螺着）関係は、上述のように封印部材１５にて保証される。従って、螺子１０が螺着された物品１００とＩＤタグ１４との最初の対応関係も１対１に保証される。これにより、ＩＤタグ１４の不正な交換等も不可能になり、ＩＤタグ１４を用いた物品１００の管理を的確に行うことが可能になる。
【００３６】
なお上述の説明では、ＩＤタグ１４を封印部材１５とは別に装着する例を示したが、封印部材１５の包皮１５ａの内部にＩＤタグ１４を埋め込んで実装する構成としてもよい。
図５は、本発明の他の実施の形態である螺子の外観の一例を示す斜視図であり、図６は、その断面図である。
【００３７】
本実施の形態の螺子２０は、外周部に螺子山２１ａが刻設された軸部２１と、この軸部２１の一端に一体に設けられた螺子頭部２２を備えている。
【００３８】
螺子頭部２２は、外周面が平滑な略円柱形を呈し、その中央部には、軸部２１とほぼ同軸に円筒形の封印凹部２２ａが設けられている。さらに、この封印凹部２２ａの底部には、軸部２１とほぼ同軸に六角穴２３が設けられている。この六角穴２３は、封印凹部２２ａを通じて、図示しない六角レンチ等の締結工具を嵌合させて軸部２１に回転力を与えることで、螺子山２１ａが形成された軸部２１を物品１００に螺着したり、取り外したりする操作に用いられる。
【００３９】
螺子頭部２２の封印凹部２２ａの底部には、接着材等により、必要に応じてＩＤタグ１４が装着されている。なお、このＩＤタグ１４は省略してもよい。
【００４０】
さらに、封印凹部２２ａには、当該封印凹部２２ａの開口部全体を隠蔽するように、封印部材２５が非可逆に充填されている。この封印部材２５は、たとえばゲル、ワックス、樹脂等で構成され、外部から目視可能な表面には、任意の文字や図形からなる認証パターン２５ａが、刻印や印刷等の方法で形成されている。
【００４１】
以下、図５および図６に例示される本実施の形態の螺子２０の作用の一例について説明する。
まず、封印部材２５やＩＤタグ１４を装着しない状態で、図示しない六角レンチ等の工具を螺子頭部２２の封印凹部２２ａの底部の六角穴２３に嵌合させて回動させることで、軸部２１を任意の物品１００の螺子穴１００ａに螺合させて取り付ける。
【００４２】
次に、封印凹部２２ａの底部に、六角穴２３の開口部を覆う様に必要に応じてＩＤタグ１４を接着し、さらに、ＩＤタグ１４および封印凹部２２ａの全体を隠蔽するように、封印凹部２２ａの内部に封印部材２５を非可逆に充填する。このとき、封印凹部２２ａの外部に露出した封印部材２５の表面に、任意の文字や図形からなる認証パターン２５ａを、刻印や印刷等の方法で目視可能に形成する。
【００４３】
このように封印部材２５を封印凹部２２ａに非可逆に充填して封印することにより、物品１００に螺着された螺子２０を取り外すには、封印部材２５や認証パターン２５ａを破壊して六角レンチ等の工具を六角穴２３に嵌合させる以外に方法がないので、螺子２０の取り外し等の操作履歴が目視可能に確実に判別される。また、螺子頭部２２の外周は円柱形で平滑なので、封印部材２５を破壊せずに、強いて工具等を用いて螺子頭部２２を回転させようとすると、必ず工具痕が残るため取り外したことが判別される。
【００４４】
このため、本実施の形態の螺子２０では、一旦、目的の物品１００に締結した螺子２０を取り外そうとすると必ずその痕跡が目視可能に残ることとなり、取り外し操作等の操作履歴を確実に把握することができる。
【００４５】
すなわち、本実施の形態の螺子２０によれば、上述のように通常の六角レンチ等の工具を用いて簡便に任意の物品１００に螺着できるとともに、一旦螺着した後は、封印部材２５の充填によって、取り外し操作等の操作履歴を確実に把握することが可能となる。換言すれば、螺子本来の汎用性や利便性を損なうことなく、取り外し等の操作履歴の痕跡を確実に把握することが可能である。
【００４６】
また、本実施の形態の螺子２０では、ＩＤタグ１４は、封印部材２５や認証パターン２５ａを破壊しない限り取り外せないので、ＩＤタグ１４と螺子２０との１対１の対応関係が確実に維持される。また、螺子２０と任意の物品１００との最初の締結（螺着）関係は、上述のように封印部材２５にて保証される。従って、螺子２０が螺着された物品１００とＩＤタグ１４との最初の対応関係も１対１に保証される。これにより、ＩＤタグ１４の不正な付け替え等も不可能になり、ＩＤタグ１４を用いた物品１００の管理を的確に行うことが可能になる。
【００４７】
図７は、本発明のさらに他の実施の形態である螺子の構成の一例を示す断面図である。
この図７の実施の形態の螺子３０は、たとえば市販の規格品等の螺子からなる螺子本体３１と、この螺子本体３１が挿通される透孔３２ａを有する螺子座３２とを備えている。
【００４８】
螺子本体３１は、螺子山３１ｂが形成された軸部３１ａと、この軸部３１ａの一端に一体に設けられた螺子頭部３１ｃからなる。螺子頭部３１ｃは、たとえば、六角柱を呈するいわゆるボルトヘッドであり、ボックスレンチ等の図示しない工具側の六角穴と嵌合して、軸部３１ａに回転力を与えることで、螺子山３１ｂが形成された軸部３１ａを物品２００に螺着したり、取り外したりする操作に用いられる。
【００４９】
螺子座３２には、螺子頭部３１ｃを収容する封印凹部３２ｂが設けられている。この封印凹部３２ｂの内径は、螺子頭部３１ｃの外周との間に、当該螺子頭部３１ｃに嵌合する工具先端が挿入可能な間隙が形成される大きさに設定されている。また封印凹部３２ｂの深さは、螺子頭部３１ｃの高さよりも大きく設定され、当該螺子頭部３１ｃが封印凹部３２ｂの内部に完全に収容される構成となっている。
【００５０】
封印凹部３２ｂには、その内部に位置する螺子頭部３１ｃを完全に隠蔽するように封印部材３３が非可逆に固着されている。特に図示しないが、この封印部材３３の露出表面には、必要に応じて、刻印や印刷等により認証パターンを形成することができる。
【００５１】
また、螺子頭部３１ｃと封印部材３３の間には、必要に応じて、ＩＤタグ１４が実装される。このＩＤタグ１４は実装されていなくてもよい。
以下、本実施の形態の作用の一例について説明する。
【００５２】
まず、封印部材３３およびＩＤタグ１４を装着しない状態で、螺子本体３１および当該螺子本体３１の軸部３１ａが透孔３２ａに挿通された螺子座３２を、目的の物品２００に螺着する。
【００５３】
この時、螺子本体３１の螺子頭部３１ｃは、螺子座３２の封印凹部３２ｂに収容された状態となる。そして、この封印凹部３２ｂ内の螺子頭部３１ｃに必要に応じてＩＤタグ１４を接着固定した後、封印部材３３を非可逆に充填する。また、必要に応じて、露出表面には、刻印や印刷等により認証パターンを形成する。
【００５４】
これにより、螺子本体３１やＩＤタグ１４を物品２００から取り外すためには、封印部材３３を破壊する以外になく、この封印部材３３の破壊は、目視にて判別できるので、上述の各実施の形態と同様の効果が得られる。
【００５５】
さらに、図７の実施の形態の場合には、螺子本体３１として、市販の汎用螺子を用いることができるので、極めて広範な種類の螺子を用いた締結構造において、螺子本来の汎用性や利便性を損なうことなく、取り外し等の操作履歴の痕跡を確実に把握することが可能である。また、必要に応じてＩＤタグ１４を実装することで、物品２００の管理を的確に行うことが可能になる。
【００５６】
なお、特に図示しないが、上述の図７の実施の形態においては、螺子座３２を必ずしも用いる必要はなく、この螺子座３２を省略して、外部に露出した螺子本体３１の螺子頭部３１ｃを、完全に隠蔽するように封印部材３３を非可逆に固着させるようにして、当該封印部材３３を破壊することなしに、外部からの螺子頭部３１ｃの回転操作が不可能なようにしてもよい。
【００５７】
図８は、本発明のさらに他の実施の形態である螺子の構成の一例を示す分解斜視図であり、図９はその組立状態の断面図である。
この図８の螺子４０は、螺子山４１ａが形成された軸部４１と、この軸部４１の一端に設けられた円筒状の螺子頭部４２を備えている。螺子頭部４２には、六角レンチ等の工具で軸部４１を回転させるための六角穴４３が設けられている。さらに、螺子頭部４２には、当該螺子頭部４２の円筒状の側面を切り落として形成された一対の小判面４４が設けられており、螺子頭部４２の横断面は、小判型になっている。そして、スパナ等の工具でこの小判面４４を挟持することにより、軸部４１を回転させることが可能になっている。すなわち、この螺子４０は、六角レンチおよびスパナのいずれによっても物品１００に対する軸部４１の螺合締結、および取り外しが可能になっている。
【００５８】
螺子頭部４２の上部には、キャップ４５が設けられている。このキャップ４５は、一対の脚部４６を備えており、この一対の脚部４６にて、小判面４４を隠蔽するように挟持し、脚部４６の下端に設けられた爪部４６ａを螺子頭部４２の下面周縁に嵌合させることで、特別な工具等を必要とすることなく、キャップ４５が螺子頭部４２上にワンタッチで簡便かつ安定に装着される。
【００５９】
キャップ４５の内部には液状物１６が収容される封入空間４５ａが軸方向に貫通して設けられている。液状物１６は、包皮１６ａと、その中に封入された内封液１６ｂからなる。この内封液１６ｂは、たとえば、ルミノール反応で識別可能なヘム鉄等の物質が混入されたインク等からなる。
【００６０】
この液状物１６は、下側マスク部材４７および上側マスク部材４８によって上下からはさまれた状態で封入空間４５ａ内に実装される。この下側マスク部材４７および上側マスク部材４８は両面に接着剤が塗布された粘着テープ等で構成されている。
【００６１】
そして、本実施の形態の螺子４０を物品１００に螺着する場合、まず、キャップ４５を装着しない状態で、目的の物品１００に六角レンチやスパナ等の工具を用いて軸部４１を螺入させて固定し、その後、キャップ４５を、その脚部４６を螺子頭部４２の小判面４４の位置に一致するように嵌合させ、爪部４６ａを螺子頭部４２の下面に嵌合させて固定する。
【００６２】
次に、下側マスク部材４７を封入空間４５ａの底部に露出した螺子頭部４２の頂部に貼り付けた後、その上に液状物１６を装入して、その下面を下側マスク部材４７の上面に接着固定し、最後に、封入空間４５ａの上端開口部および液状物１６の上面に上側マスク部材４８を張り付けて覆う。これにより、螺子４０は、図９のような封印状態となる。
【００６３】
そして、この図９の封印状態において、たとえば、小判面４４にスパナを嵌合させて螺子４０を物品１００から取り外そうとする場合、小判面４４を覆っている脚部４６を除去すべくキャップ４５を螺子頭部４２から取り外すと、下側マスク部材４７に接着されている液状物１６の下部が破れて内封液１６ｂが周囲に飛散する。
【００６４】
また、レンチを六角穴４３に嵌合させて螺子４０を物品１００から取り外そうとする場合、上側マスク部材４８、液状物１６および上側マスク部材４８を破壊する必要があり、この場合も同様に、液状物１６の内封液１６ｂが周囲に飛散する。
【００６５】
すなわち、図９の封印状態において、螺子４０を物品１００から取り外す場合、レンチおよびスパナのいずれの工具を用いても、内封液１６ｂを周囲に飛散させることなく、螺子４０を物品１００から取り外したり、螺着状態を緩めたりすることは不可能である。
【００６６】
そして、周囲に飛散した内封液１６ｂには、上述のようにルミノール反応にて検出可能な物質が混ぜられているため、螺子４０の周辺部にルミノール液を塗布して発光の有無を観察することで、螺子４０が取り外されたか否かを簡便かつ確実に知ることができる。すなわち、キャップ４５による封印を破壊して、不正に螺子４０が取り外されたり、緩められたりした事実を簡便かつ確実に知ることができる。
【００６７】
図１０は、本発明のさらに他の実施の形態である螺子の構成の一例を示す分解斜視図であり、図１１はその組立状態の断面図である。
この螺子５０は、螺子山５１ａが形成された軸部５１の一端に設けられた円柱状の螺子頭部５２に、軸方向にキャップ穴５４が設けられ、このキャップ穴５４の底部には、レンチ等の工具に嵌合する六角穴５３が設けられている。
【００６８】
キャップ穴５４に装着されるキャップ５５は、液状物１６が収容される封入空間５５ａが軸方向に貫通して設けられている。キャップ５５の外周部には、複数の嵌合爪５６が径方向に弾発変形可能に突設されており、螺子頭部５２側のキャップ穴５４の壁面に貫通して形成された複数の爪溝５４ａに嵌合されることにより、特別な工具等を必要とすることなく、キャップ５５はワンタッチで簡便にキャップ穴５４に装着される。また、複数の嵌合爪５６は拡開する方向の弾発力にて爪溝５４ａに嵌合するので、キャップ５５は強い装着力にてキャップ穴５４内に確実に保持される。
【００６９】
液状物１６が収容されるキャップ５５の封入空間５５ａの上下の開口端は、両面に接着剤が塗布された下側マスク部材５７および上側マスク部材５８にて閉止され、液状物１６は、下側マスク部材５７および上側マスク部材５８によって上下からはさまれた状態で封入空間５５ａ内に実装される。
【００７０】
そして、図１１に例示されるように、本実施の形態の螺子５０を物品１００に装着する場合、まず、キャップ５５が装着されていない状態で、六角穴５３にレンチ等の工具を嵌合させて軸部５１を回転させることにより、物品１００に螺着する。
【００７１】
その後、キャップ穴５４の底部に六角穴５３を隠蔽するように下側マスク部材５７を貼り付けた後、キャップ５５をキャップ穴５４に挿入し、嵌合爪５６を爪溝５４ａに嵌合させることで固定する。そして、このように固定されたキャップ５５の封入空間５５ａに液状物１６を挿入し、下面を下側マスク部材５７の上面に密着させて貼り付け、さらに、上面を上側マスク部材５８を張り付けて覆うことで、図１１の封印状態となる。
【００７２】
この図１１の封印状態において、螺子頭部５２を物品１００から取り外そうとして、六角穴５３を露出させるべく、キャップ５５をキャップ穴５４から抜き出すと、下側マスク部材５７に密着して接着されていた液状物１６の下面が破れて内封液１６ｂが周囲に飛散する。また、キャップ５５をキャップ穴５４に装着したままで上側マスク部材５８、液状物１６、下側マスク部材５７を破壊して、レンチを六角穴５３に嵌合させようとすると、同様に、内封液１６ｂが周囲に飛散する。
【００７３】
すなわち、一旦、図１１の封印状態になった後は、螺子５０を物品１００から取り外そうとすると、かならず内封液１６ｂが周囲に飛散し、この内封液１６ｂは、上述のようにルミノール反応にて簡便に検出できる。すなわち、キャップ５５による封印を破壊して、不正に螺子５０が取り外されたり、緩められたりした事実を簡便かつ確実に知ることができる。
【００７４】
なお、螺子頭部５２は滑らかな円柱形であるため、工具で螺子頭部５２の外周部を挟圧して回動させた場合、螺子頭部５２の外周部に工具の痕跡が必ず残るので、この場合にも、不正に螺子５０が取り外されたり、緩められたりした事実を確実に知ることができることは言うまでもない。
【００７５】
図１２は、本発明のさらに他の実施の形態である螺子の構成の一例を示す分解斜視図であり、図１３はその組立状態の断面図である。
この実施の形態の螺子６０は、螺子山６１ａが形成された軸部６１の一端に、偏平で略円錐台形を呈する螺子頭部６２が設けられ、この螺子頭部６２の中央部には、レンチ等の工具を嵌合させるための六角穴６３が設けられている。螺子頭部６２の頂部は、断面が凹型のキャップ座６４が設けられている。キャップ座６４において中央の六角穴６３を取り囲む位置には、複数の爪穴６４ａが開口している。
【００７６】
キャップ６５は、円錐台形を呈しており、中央上面には液状物１６を収容するための封入空間６５ａが設けられている。封入空間６５ａは、液状物１６を収容した状態でマスク部材６７により封止される。キャップ６５の底部には、複数の嵌合脚６６が突設されており、その各々の先端部には、嵌合爪６６ａが設けられている。そして、この嵌合脚６６をキャップ座６４の爪穴６４ａにそれぞれ挿入して、嵌合爪６６ａを爪穴６４ａの下部開口端縁に嵌合させることで、特別な工具等を必要とすることなく、ワンタッチで簡便にキャップ６５がキャップ座６４に固定される。
【００７７】
そして、図１３に例示されるように、物品１００に螺子６０を装着する場合、まず、キャップ６５が装着されない状態で、レンチ等の工具を螺子頭部６２の六角穴６３に嵌合させて軸部６１を回転させることで、螺子６０を物品１００に螺着する。その後、キャップ６５の嵌合脚６６をキャップ座６４の爪穴６４ａに挿入して嵌合させることで、当該キャップ６５を螺子頭部６２に固定し、さらに、封入空間６５ａに液状物１６を入れ、マスク部材６７を張り付けて封印する。
【００７８】
これにより、螺子６０は封印状態となる。この図１３の封印状態においては、キャップ６５の嵌合脚６６は、外部から完全に隠蔽された状態となり、六角穴６３を隠蔽するキャップ６５を取り外すことは困難であり、無理に取り外そうとすると、キャップ６５や液状物１６を破壊するしかなく、内封液１６ｂが周囲に飛散する。そして、飛散した内封液１６ｂは、ルミノール反応を利用して簡便に検出でき、これにより、不正に螺子６０を物品１００から取り外すことが困難となる。
【００７９】
上述の各実施の形態の螺子１０、螺子２０、螺子３０、螺子４０、螺子５０、螺子６０のいずれにおいても、封印部材を破壊すれば、容易に螺子本来の簡便さで取り外し（分解）も可能であり、従来のワンウェイネジのように物品自体を破壊することなくリサイクルが可能になる、という利点もある。
【００８０】
上述の各実施の形態における物品１００や物品２００の例としては、たとえば内部の電子機器の構成や機能等に公的機関の認証が必要となる各種の遊技機における電子機器の改竄防止用の封止構造やその接続ケーブルの固定具、あるいはナンバープレートの固定構造、その他、勝手な交換や改竄を防止したり、流通経路における着脱の履歴を確実に把握することが必要とされるあらゆる物品や、ＩＤタグの締結用途に広く適用することが可能である。
【図面の簡単な説明】
【００８１】
【図１】本発明の一実施の形態である螺子の外観の一例を示す斜視図。
【図２】本発明の一実施の形態である螺子の断面図。
【図３】本発明の一実施の形態である螺子の平面図。
【図４】本発明の一実施の形態である螺子を構成する封印部材の一例を示す断面図。
【図５】本発明の他の実施の形態である螺子の外観の一例を示す斜視図。
【図６】本発明の他の実施の形態である螺子の断面図。
【図７】本発明のさらに他の実施の形態である螺子の構成の一例を示す断面図。
【図８】本発明のさらに他の実施の形態である螺子の構成の一例を示す分解斜視図。
【図９】図８の組立状態の断面図。
【図１０】本発明のさらに他の実施の形態である螺子の構成の一例を示す分解斜視図。
【図１１】図１０の組立状態の断面図。
【図１２】本発明のさらに他の実施の形態である螺子の構成の一例を示す分解斜視図。
【図１３】図１２の組立状態の断面図である。
【符号の説明】
【００８２】
１０…螺子、１１…軸部、１１ａ…螺子山、１２…螺子頭部、１２ａ…封印凹部、１３…六角穴（操作凹部：操作部）、１４…ＩＤタグ、１５…封印部材、１５ａ…包皮、１５ｂ…内封液、１６…液状物、１６ａ…包皮、１６ｂ…内封液、２０…螺子、２１…軸部、２１ａ…螺子山、２２…螺子頭部、２２ａ…封印凹部、２３…六角穴（操作凹部：操作部）、２５…封印部材、２５ａ…認証パターン、３０…螺子、３１…螺子本体、３１ａ…軸部、３１ｂ…螺子山、３１ｃ…螺子頭部（操作部）、３２…螺子座、３２ａ…透孔、３２ｂ…封印凹部（収容凹部）、３３…封印部材、４０…螺子、４１…軸部、４１ａ…螺子山、４２…螺子頭部、４３…六角穴、４４…小判面、４５…キャップ、４５ａ…封入空間、４６…脚部、４６ａ…爪部、４７…下側マスク部材、４８…上側マスク部材、５０…螺子、５１…軸部、５１ａ…螺子山、５２…螺子頭部、５３…六角穴、５４…キャップ穴、５４ａ…爪溝、５５…キャップ、５５ａ…封入空間、５６…嵌合爪、５７…下側マスク部材、５８…上側マスク部材、６０…螺子、６１…軸部、６１ａ…螺子山、６２…螺子頭部、６３…六角穴、６４…キャップ座、６４ａ…爪穴、６５…キャップ、６５ａ…封入空間、６６…嵌合脚、６６ａ…嵌合爪、６７…マスク部材、１００…物品、２００…物品
【図１】
2005003192.tif 000003
【図２】
2005003192.tif 000004
【図３】
2005003192.tif 000005
【図４】
2005003192.tif 000006
【図５】
2005003192.tif 000007
【図６】
2005003192.tif 000008
【図７】
2005003192.tif 000009
【図８】
2005003192.tif 000010
【図９】
2005003192.tif 000011
【図１０】
2005003192.tif 000012
【図１１】
2005003192.tif 000013
【図１２】
2005003192.tif 000014
【図１３】
2005003192.tif 000015